(57)【要約】      （修正有）【課題】１つのファスナーユニットに別のファスナーユニットを順次重ね合わせ、複数のファスナーユニットを重層構造とした新しいスライドファスナーを提供する。【解決手段】ファスナーテープ２０の相対する開閉端の縁部に沿って列設されたエレメント３０とスライダー４０とから構成され、エレメント３０は、水平方向の一方に噛み合せ部を、他方にファスナーテープ固定部を有する水平機能部と、水平機能部に直交し、噛み合せ部を上方に延設した係合片を有する上方垂直機能部及びファスナーテープ固定部を下方に延設した係合受片を有する下方垂直機能部とを備える。形成したファスナーユニットを複数個揃え、１つ目のファスナーユニットの係合部に２つ目のファスナーユニットの係合受部を係合して、順次新しいファスナーユニットの係合受部を１つ前のファスナーユニットの係合部に係合して複数のファスナーユニットを重層構造としたことを特徴とする。【選択図】図１
2011101683.tif 000002
【特許請求の範囲】
【請求項１】
ファスナーテープの相対する開閉端の縁部に沿って列設されたエレメントとスライダーとから構成され、前記スライダーを前記エレメントに沿って摺動させることにより開閉するスライドファスナーであって、
前記エレメントは、水平方向の一方に噛み合せ部を、他方にファスナーテープ固定部を有する水平機能部と、前記水平機能部に直交し、前記噛み合せ部を上方に延設した係合片を有する上方垂直機能部及び前記ファスナーテープ固定部を下方に延設した係合受片を有する下方垂直機能部とを備え、
前記エレメントを向かい合わせに配置して、その間を前記スライダーを摺動させて前記噛み合せ部を噛み合せることにより、向かい合わせにしたエレメントの係合片同士で係合部を形成し、向かい合わせにしたエレメントの係合受片同士で係合受部を形成したファスナーユニットを複数個揃え、
１つ目のファスナーユニットの係合部に２つ目のファスナーユニットの係合受部を係合して、順次新しいファスナーユニットの係合受部を１つ前のファスナーユニットの係合部に係合して複数のファスナーユニットを重層構造としたことを特徴とするスライドファスナー。
【請求項２】
前記係合部は、先端に尖頭部を有する矢頭形状とし、前記係合受部は、下方に延設した係合受片を鉤型に形成して、前記矢頭形状の係合部が係合するように角錐形状としたことを特徴とする請求項１記載のスライドファスナー。
【請求項３】
前記係合部は、先端に尖頭部を有する矢頭形状とし、前記矢頭形状の下部に段差を設け、前記係合受部は、下方に延設した係合受片を鉤型に形成し、前記段差に係合する凸部を設け、弾力性を持たせて形成して、前記矢頭形状の係合部がプッシュインで係合するように角錐形状としたことを特徴とする請求項１記載のスライドファスナー。
【請求項４】
前記係合部は、先端を平面にした平坦形状とし、前記係合受部は、下方に延設した係合受片を角型に形成して、前記平坦形状の係合部が外力により係合受部に押し込まれて係合することがないように直方体形状としたことを特徴とする請求項１記載のスライドファスナー。
【発明の詳細な説明】
【技術分野】
【０００１】
本発明は、新しい発想により特異形状のファスナーエレメントを創造して、１つのファスナーユニットに別のファスナーユニットを順次重ね合わせ、複数のファスナーユニットを重層構造とした新しいスライドファスナーに関する。
【背景技術】
【０００２】
一般的にスライドファスナーの多くは、主に衣服やバッグ等の開口部に取り付けられ、エレメント（務歯）を開口部の端縁部に並べて設け、左右対になった一組のエレメントの間をスライダーを動かすことで、左右のエレメント同士が順に噛み合わさってゆき、自在に開閉できる単層構造である。一方、防水性、安全性を要求される衣服やバッグ等にはファスナーを複層に重設したスライドファスナーが知られている（例えば、特許文献１、特許文献２参照）。
【先行技術文献】
【特許文献】
【０００３】
【特許文献１】実開昭５２−１１５３０５号公報
【特許文献２】実開昭５２−１４４８０３号公報
【発明の概要】
【発明が解決しようとする課題】
【０００４】
しかしながら、特許文献１、特許文献２に示したスライドファスナーは、複層に重設したファスナーを１個のスライダーによって開閉する構造であるので、１つの層に設けられたファスナーを開閉したいときも複層に設けられたファスナーを同時に開閉しなければならない等の問題点がある。本発明は、新しい発想により特異形状のファスナーエレメントを創造して、１つのファスナーユニットに別のファスナーユニットを順次重ね合わせ、複数のファスナーユニットを重層構造とした新しいスライドファスナーを提供することを目的とする。
【課題を解決するための手段】
【０００５】
上記目的を達成するため、請求項１に記載の発明は、ファスナーテープの相対する開閉端の縁部に沿って列設されたエレメントとスライダーとから構成され、スライダーをエレメントに沿って摺動させることにより開閉するスライドファスナーであって、エレメントは、水平方向の一方に噛み合せ部を、他方にファスナーテープ固定部を有する水平機能部と、水平機能部に直交し、噛み合せ部を上方に延設した係合片を有する上方垂直機能部及びファスナーテープ固定部を下方に延設した係合受片を有する下方垂直機能部とを備え、エレメントを向かい合わせに配置して、その間をスライダーを摺動させて噛み合せ部を噛み合せることにより、向かい合わせにしたエレメントの係合片同士で係合部を形成し、向かい合わせにしたエレメントの係合受片同士で係合受部を形成したファスナーユニットを複数個揃え、１つ目のファスナーユニットの係合部に２つ目のファスナーユニットの係合受部を係合して、順次新しいファスナーユニットの係合受部を１つ前のファスナーユニットの係合部に係合して複数のファスナーユニットを重層構造としたことを特徴とするものである。
【０００６】
また、請求項２に記載の発明は、請求項１記載の発明であって、係合部は、先端に尖頭部を有する矢頭形状とし、係合受部は、下方に延設した係合受片を鉤型に形成して、矢頭形状の係合部が係合するように角錐形状としたことを特徴とするものである。
【０００７】
また、請求項３に記載の発明は、請求項１記載の発明であって、係合部は、先端に尖頭部を有する矢頭形状とし、矢頭形状の下部に段差を設け、係合受部は、下方に延設した係合受片を鉤型に形成し、段差に係合する凸部を設け、弾力性を持たせて形成して、矢頭形状の係合部がプッシュインで係合するように角錐形状としたことを特徴とするものである。
【０００８】
また、請求項４に記載の発明は、請求項１記載の発明であって、係合部は、先端を平面にした平坦形状とし、係合受部は、下方に延設した係合受片を角型に形成して、平坦形状の係合部が外力により係合受部に押し込まれて係合することがないように直方体形状としたことを特徴とするものである。
【発明の効果】
【０００９】
請求項１記載のスライドファスナーによれば、ファスナーテープの相対する開閉端の縁部に沿って列設されたエレメントとスライダーとから構成され、スライダーをエレメントに沿って摺動させることにより開閉するスライドファスナーであって、エレメントは、水平方向の一方に噛み合せ部を、他方にファスナーテープ固定部を有する水平機能部と、水平機能部に直交し、噛み合せ部を上方に延設した係合片を有する上方垂直機能部及びファスナーテープ固定部を下方に延設した係合受片を有する下方垂直機能部とを備え、エレメントを向かい合わせに配置して、その間を前記スライダーを摺動させて噛み合せ部を噛み合せることにより、向かい合わせにしたエレメントの係合片同士で係合部を形成し、向かい合わせにしたエレメントの係合受片同士で係合受部を形成したファスナーユニットを複数個揃え、１つ目のファスナーユニットの係合部に２つ目のファスナーユニットの係合受部を係合して、順次新しいファスナーユニットの係合受部を１つ前のファスナーユニットの係合部に係合して複数のファスナーユニットを重層構造としたので、１つのファスナーユニットに別のファスナーユニットを順次重ね合わせ、複数のファスナーユニットを重層構造とした新しいスライドファスナーを提供することができる。また重層構造を構成するファスナーユニットの各層が互いに係合しているので、噛み合わさった時には、噛み合わせ位置が規定され、且つ安定した噛み合わせ状態を保つことができる。
【００１０】
また、請求項２記載のスライドファスナーによれば、係合部は、先端に尖頭部を有する矢頭形状とし、係合受部は、下方に延設した係合受片を鉤型に形成して、矢頭形状の係合部が係合するように角錐形状としたので、複数のファスナーユニットを重層構造として、積み重ねることができる。
【００１１】
また、請求項３記載のスライドファスナーによれば、係合部は、先端に尖頭部を有する矢頭形状とし、矢頭形状の下部に段差を設け、係合受部は、下方に延設した係合受片を鉤型に形成し、段差に係合する凸部を設け、弾力性を持たせて形成して、矢頭形状の係合部がプッシュインで係合するように角錐形状としたので、複数のスライドファスナーを閉じてからでもプッシュインで積み重ねができる。又、弾性力で左右から挟み込まれており、かつ矢頭形状下部の段差に凸部が係合するので、積み重ねが容易に外れることはない。
【００１２】
また、請求項４記載のスライドファスナーによれば、係合部は、先端を平面にした平坦形状とし、係合受部は、下方に延設した係合受片を角型に形成して、平坦形状の係合部が外力により係合受部に押し込まれて係合することがないように直方体形状としたので、重ね合わせず別々に噛み合わさっているファスナーユニットが、外力により意図せず係合部が係部受部に押し込まれて係合することがない。
【図面の簡単な説明】
【００１３】
【図１】本発明のスライドファスナーの実施形態を示す斜視図である。
【図２】エレメントの第一実施例を示し、(ａ)は単体、（ｂ）は向かい合わせにして噛み合せた斜視図である。
【図３】スライダーの実施例を示す斜視図である。
【図４】（ａ）〜（ｅ）はスライダーを図３に示した直線Ａ〜Ｅで切断した各断面図である。
【図５】１つ目のファスナーユニットを形成する動作説明図である。
【図６】２つ目のファスナーユニットを形成し、図５で形成した１つ目のファスナーユニットに重ね合わせ、これらのファスナーユニットを重層構造とする動作説明図である。
【図７】エレメントの第二実施例を示し、(ａ)は単体、（ｂ）は向かい合わせにして噛み合せた斜視図である。
【図８】エレメントの第三実施例を示し、(ａ)は単体、（ｂ）は向かい合わせにして噛み合せた斜視図である。
【図９】第一実施例のエレメントによるファスナーユニットが重なり合った状態を示す説明図である。
【図１０】第二実施例のエレメントによるファスナーユニットがプッシュインにより重なり合う途中状態を示す説明図である。
【図１１】第二実施例のエレメントによるファスナーユニットがプッシュインにより重なり合った状態を示す説明図である。
【図１２】第三実施例のエレメントによるファスナーユニットが重なり合った状態を示す説明図である。
【発明を実施するための形態】
【実施例】
【００１４】
以下、本発明によるスライドファスナーの実施の形態を、図面を参照しながら具体的に説明する。スライドファスナー１０は、図１に示すように、ファスナーテープ２０の相対する開閉端の縁部に沿って列設されたエレメント３０とスライダー４０とから構成され、複数個のファスナーユニット１１ａ、１２ａを形成する。そして１つ目のファスナーユニット１１ａに２つ目のファスナーユニット１２ａを係合して、新しいファスナーユニットを１つ前のファスナーユニットに順次重ね合わせ、複数のファスナーユニットを重層構造としたものである。
【００１５】
次に、スライドファスナーを構成するエレメント３０、スライダー４０の詳細を図２（ａ）、（ｂ）、図３、図４（ａ）、（ｂ）、（ｃ）、（ｄ）、（ｅ）に基づいて説明する。
【００１６】
図２（ａ）は、第一実施例のエレメント３０ａを示し、水平方向の一方に噛み合せ部３１ａを、他方にファスナーテープ固定部３２ａを有する水平機能部と、水平機能部に直交し、噛み合せ部３１ａを上方に延設した係合片３４ａを有する上方垂直機能部及びファスナーテープ固定部３２ａを下方に延設した係合受片３６ａを有する下方垂直機能部とを備えている。
【００１７】
このエレメント３０ａを図２（ｂ）に示すように、向かい合わせに配置して、その間を後述のスライダーを摺動させて噛み合せ部３１ａを噛み合せることにより、向かい合わせにしたエレメント３０ａの係合片３４ａ同士で係合部Ｋａを形成し、向かい合わせにしたエレメントの係合受片３６ａ同士で係合受部Ｒａを形成する。また、係合部Ｋａは先端に尖頭部Ｓａを有する矢頭形状であり、係合受部Ｒａは、下方に延設した係合受片３６ａを鉤型Ｇａに形成して、矢頭形状の係合部Ｋａが係合するように角錐形状である。
【００１８】
図３は、スライダー４０の実施例を示し、エレメント３０ａを挿通して噛合・離脱させるスライダー本体５０とスライダー本体５０を移動させる引き手６０とから構成されている。
【００１９】
図４（ａ）〜図４（ｅ）は、スライダー本体５０を図３に示した直線Ａ〜Ｅで切断した各断面図を示し、スライダー本体５０は、上方垂直側ケース５１（図４（ａ）〜図４（ｅ））、下方垂直側ケース５２（図４（ａ）〜図４（ｅ））、両者を連結する連結部５３（図４（ｅ））から成る。上方垂直側ケース５１と下方垂直側ケース５２の間にはファスナーテープ２０を挿通する水平スリット５４が設けられる（図４（ａ）〜図４（ｅ））。
【００２０】
スライダー本体５０の内部は、ファスナーテープ２０の相対する開閉端の縁部に沿って列設された複数のエレメント３０ａが挿通するエレメント通路５５、５６が上方垂直側ケース５１、下方垂直側ケース５２それぞれに形成され、上方垂直側ケース５１のエレメント通路５５の一方５５ａ（図４（ｅ））は、噛み合わさる前のエレメント３０ａの係合片３４ａを挿通可能とし、エレメント通路５５の他方５５ｂ（図３、図４（ａ））は、噛み合わせが完了したエレメント３０ａの係合片３４ａを挿通可能とする。
【００２１】
同様に下方垂直側ケース５２のエレメント通路５６の一方５６ａ（図４（ｅ））は、噛み合わさる前のエレメント３０ａの係合受片３６ａを挿通可能とし、エレメント通路５６の他方５６ｂ（図３、図４（ａ））は、噛み合わせが完了したエレメント３０ａの係合受片３６ａを挿通可能とする。
【００２２】
引き手６０は、スライダー本体５０への取付部６１と摘み部６２から成り、取付部６１を上方垂直側ケース５１に立設された引き手取付部５７に係合する（図３）。
【００２３】
この第一実施例に示したエレメント３０ａとスライダー４０によるスライドファスナーの動作を図５、図６を用いて説明する。
【００２４】
図５は、１つ目のファスナーユニット１１ａを形成する説明図で、向かい合わせに配置した１つ目のファスナーユニット１１ａのファスナーテープ２０の相対する開閉端の縁部に沿って列設されたエレメント３０ａの噛み合せ部３１ａと上方に延設した係合片３４ａの間をスライダー本体５０の上方垂直側ケース５１（図４（ａ）〜図４（ｅ））のエレメント通路５５（図４（ａ）〜図４（ｅ））に沿って１つ目のファスナーユニット１１ａのスライダー４０を摺動させると、向かい合わせに配置した噛み合せ部３１ａが噛み合わさり、向かい合わせにしたエレメントの係合片３４ａ同士で係合部Ｋａを形成し、向かい合わせにしたエレメントの係合受片３６ａ同士で係合受部Ｒａ（図２（ｂ））を形成して１つ目のファスナーユニット１１ａを形成する。
【００２５】
図６は、同様にして２つ目のファスナーユニット１２ａを形成し、図５で形成した１つ目のファスナーユニット１１ａに重ね合わせ、これらのファスナーユニットを重層構造とする説明図で、向かい合わせに配置した２つ目のファスナーユニット１２ａのファスナーテープ２０の相対する開閉端の縁部に沿って列設されたエレメント３０ａの噛み合せ部３１ａと上方に延設した係合片３４ａの間をスライダー本体５０の上方垂直側ケース５１（図４（ａ）〜図４（ｅ））のエレメント通路５５（図４（ａ）〜図４（ｅ））に沿って２つ目のファスナーユニット１２ａのスライダー４０を摺動させると、向かい合わせに配置した噛み合わせ部３１ａが噛み合わさり、向かい合わせにしたエレメントの係合片３４ａ同士で係合部Ｋａを形成し、向かい合わせにしたエレメントの係合受片３６ａ同士で係合受部Ｒａを形成して２つ目のファスナーユニット１２ａを形成する。２つ目のファスナーユニット１２ａのスライダー４０を摺動させる際、１つ目のファスナーユニット１１ａの係合部Ｋａを２つ目のファスナーユニット１２ａのスライダー本体５０の下方垂直側ケース５２（図４（ａ）〜図４（ｅ））のエレメント通路５６（図４（ａ）〜図４（ｅ））において形成される２つ目のファスナーユニット１２ａの係合受部Ｒａの内側に沿って摺動させるので、１つ目のファスナーユニット１１ａと２つ目のファスナーユニット１２ａが係合され重層構造とすることができる。
【００２６】
また、係合部Ｋａは、先端に尖頭部Ｓａ（図２（ｂ））を有する矢頭形状である。係合受部Ｒａ（図２（ｂ））は、下方に延設した係合受片３６ａを鉤型Ｇａ（図２（ｂ））に形成して、矢頭形状の係合部が係合するように角錐形状である。
【００２７】
次に、エレメントの他の実施例を図７、図８を用いて説明する。図７（ａ）は、第二実施例のエレメント３０ｂを示し、水平方向の一方に噛み合せ部３１ｂを、他方にファスナーテープ固定部３２ｂを有する水平機能部と、水平機能部に直交し、噛み合せ部３１ｂを上方に延設した係合片３４ｂを有する上方垂直機能部及びファスナーテープ固定部３２ｂを下方に延設した係合受片３６ｂを有する下方垂直機能部とを備えている。
【００２８】
このエレメント３０ｂを向かい合わせに配置して、その間をスライダー４０を摺動させて噛み合せ部３１ｂを噛み合せると、図７（ｂ）に示すように、向かい合わせにしたエレメント３０ｂの係合片３４ｂ同士で係合部Ｋｂを形成し、向かい合わせにしたエレメントの係合受片３６ｂ同士で係合受部Ｒｂを形成する。
【００２９】
また、係合部Ｋｂは先端に尖頭部Ｓｂを有する矢頭形状であり、矢頭形状の下部に段差Ｄｂを設ける。係合受部Ｒｂは、下方に延設した係合受片３６ｂを鉤型Ｇｂに形成し、段差Ｄｂに係合する凸部Ｔｂを設け、かつ弾力性を持たせて形成して、矢頭形状の係合部Ｋｂがプッシュインで係合するように角錐形状である。
【００３０】
図８（ａ）は、第三実施例のエレメント３０ｃを示し、水平方向の一方に噛み合せ部３１ｃを、他方にファスナーテープ固定部３２ｃを有する水平機能部と、水平機能部に直交し、噛み合せ部３１ｃを上方に延設した係合片３４ｃを有する上方垂直機能部及びファスナーテープ固定部３２ｃを下方に延設した係合受片３６ｃを有する下方垂直機能部とを備えている。
【００３１】
このエレメント３０ｃを向かい合わせに配置して、その間をスライダー４０を摺動させて噛み合せ部３１ｃを噛み合せると、図８（ｂ）に示すように、向かい合わせにしたエレメント３０ｃの係合片３４ｃ同士で係合部Ｋｃを形成し、向かい合わせにしたエレメントの係合受片３６ｃ同士で係合受部Ｒｃを形成する。
【００３２】
また、係合部Ｋｃは先端を平面Ｈｃにした平坦形状であり、係合受部Ｒｃは、下方に延設した係合受片３６ｃを角型Ｓｃに形成して、平坦形状の係合部Ｋｃが係合するように直方体形状である。
【００３３】
次に、図２（ａ）、（ｂ）、図３、図４（ａ）、（ｂ）、（ｃ）、（ｄ）、（ｅ）、図６（ａ）、（ｂ）、図７（ａ）、（ｂ）、図８（ａ）、（ｂ）、図９〜図１２を参照して、第一実施例から第三実施例のエレメントによるファスナーユニットが重なり合う作用を説明する。
【００３４】
図９は、第一実施例のエレメント３０ａ（図２（ａ））によるファスナーユニット１１ａ、１２ａが重なり合った状態を示す図で、前述したように、エレメント３０ａ（図２（ａ））を向かい合わせに配置して、噛み合せ部３１ａ（図２（ａ））と上方に延設した係合片３４ａ（図２（ａ））の間をスライダー本体５０（図３）の上方垂直側ケース５１（図３、図４（ａ）〜図４（ｅ））のエレメント通路５５（図４（ａ）〜図４（ｅ））に沿って、噛み合せ部３１ａ（図２（ａ））と下方に延設した係合受片３６ａ（図２（ａ））の間をスライダー本体５０（図３）の下方垂直側ケース５２（図３、図４（ａ）〜図４（ｅ））のエレメント通路５６（図４（ａ）〜図４（ｅ））に沿ってスライダー４０（図３）を摺動させると、向かい合わせに配置した噛み合わせ部３１ａ（図２（ａ））が噛み合さり、向かい合わせにしたエレメントの係合片３４ａ（図２（ａ））同士で係合部Ｋａ（図２（ｂ））を形成し、向かい合わせにしたエレメントの係合受片３６ａ（図２（ａ））同士で係合受部Ｒａ（図２（ｂ））を形成して１つ目のファスナーユニット１１ａを形成する。
【００３５】
同様に、別のエレメント３０ａ（図２（ａ））を向かい合わせに配置して、噛み合せ部３１ａ（図２（ａ））と上方に延設した係合片３４ａ（図２（ａ））の間をスライダー本体５０（図３）の上方垂直側ケース５１（図３、図４（ａ）〜図４（ｅ））のエレメント通路５５（図４（ａ）〜図４（ｅ））に沿って、噛み合せ部３１ａ（図２（ａ））と下方に延設した係合受片３６ａ（図２（ａ））の間をスライダー本体５０（図３）の下方垂直側ケース５２（図３、図４（ａ）〜図４（ｅ））のエレメント通路５６（図４（ａ）〜図４（ｅ））に沿って別のスライダー４０（図３）を摺動させると、向かい合わせに配置した噛み合わせ部３１ａ（図２（ａ））が噛み合さり、向かい合わせにしたエレメントの係合片３４ａ（図２（ａ））同士で係合部Ｋａ（図２（ｂ））を形成し、向かい合わせにしたエレメントの係合受片３６ａ（図２（ａ））同士で係合受部Ｒａ（図２（ｂ））を形成して２つ目のファスナーユニット１２ａを形成する。
【００３６】
２つ目のファスナーユニット１２ａを形成する際に、１つ目のファスナーユニット１１ａに重なり合うように、２つ目のファスナーユニット１２ａの係合受部Ｒａで１つ目のファスナーユニット１１ａの係合部Ｋａを挟み込む様に係合できる。
【００３７】
このように、１つのファスナーユニットに別のファスナーユニットを重ね合わせ、順次新しいファスナーユニットの係合受部を１つ前のファスナーユニットの係合部に係合して複数のファスナーユニットを重層構造とした新しいスライドファスナーを提供することが可能となった。
【００３８】
図１０は、第二実施例のエレメント３０ｂ（図６（ａ））によるファスナーユニット１１ｂ、１２ｂがプッシュインにより重なり合う途中状態を示す図で、エレメント３０ｂ（図６（ａ））を向かい合わせに配置して、噛み合せ部３１ｂ（図６（ａ））と上方に延設した係合片３４ｂ（図６（ａ））の間をスライダー本体５０（図３）の上方垂直側ケース５１（図３、図４（ａ）〜図４（ｅ））のエレメント通路５５（図４（ａ）〜図４（ｅ））に沿って、噛み合せ部３１ｂ（図６（ａ））と下方に延設した係合受片３６ｂ（図６（ａ））の間をスライダー本体５０（図３）の下方垂直側ケース５２（図３、図４（ａ）〜図４（ｅ））のエレメント通路５６（図４（ａ）〜図４（ｅ））に沿ってスライダー４０（図３）を摺動させると、向かい合わせに配置した噛み合わせ部３１ｂ（図６（ａ））が噛み合さり、向かい合わせにしたエレメントの係合片３４ｂ（図６（ａ））同士で係合部Ｋｂ（図６（ｂ））を形成し、向かい合わせにしたエレメントの係合受片３６ｂ（図６（ａ））同士で係合受部Ｒｂ（図６（ｂ））を形成して１つ目のファスナーユニット１１ｂを形成する。
【００３９】
同様に、別のエレメント３０ｂ（図６（ａ））を向かい合わせに配置して、噛み合せ部３１ｂ（図６（ａ））と上方に延設した係合片３４ｂ（図６（ａ））の間をスライダー本体５０（図３）の上方垂直側ケース５１（図３、図４（ａ）〜図４（ｅ））のエレメント通路５５（図４（ａ）〜図４（ｅ））に沿って、噛み合せ部３１ｂ（図６）と下方に延設した係合受片３６ｂ（図６）の間をスライダー本体５０（図３）の下方垂直側ケース５２（図３、図４（ａ）〜図４（ｅ））のエレメント通路５６（図４（ａ）〜図４（ｅ））に沿って別のスライダー４０（図３）を摺動させると、向かい合わせに配置した噛み合わせ部３１ｂ（図６（ａ））が噛み合さり、向かい合わせにしたエレメントの係合片３４ｂ（図６（ａ））同士で係合部Ｋｂ（図６（ｂ））を形成し、向かい合わせにしたエレメントの係合受片３６ｂ（図６（ａ））同士で係合受部Ｒｂ（図６（ｂ））を形成して２つ目のファスナーユニット１２ｂを形成する。
【００４０】
このように形成した１つ目のファスナーユニット１１ｂの係合部Ｋｂを、２つ目のファスナーユニット１２ｂの係合受部Ｒｂに押し込むようにすると、係合受片３６ｂは弾力性を有するので、係合受部Ｒｂが撓み、図１１に示すように、両スライドファスナーを閉じてからでもプッシュインで積み重ねができる。
【００４１】
更に、図１１に示すように、１つ目のファスナーユニット１１ｂの係合部Ｋｂは、ファスナーユニット１２ｂの係合受片３６ｂの弾性力で左右から挟み込まれており、かつ１つ目のファスナーユニット１１ｂの係合部Ｋｂの矢頭形状下部の段差Ｄｂに２つ目のファスナーユニット１２ｂの係合受部Ｒｂの凸部Ｔｂが係合するので、積み重ねが容易に外れることはない。
【００４２】
このように、別々に複数のファスナーユニットを噛み合せて形成し、１つ目のファスナーユニット１１ｂの係合部Ｋｂを、２つ目のファスナーユニット１２ｂの係合受部Ｒｂに押し込み、複数のファスナーユニットを重層構造とした新しいスライドファスナーを提供することが可能となった。なお、この実施例では、上述したプッシュインの他に、第一実施例と同様に１つ目のファスナーユニット１１ａの係合部Ｋａを挟み込むように２つ目のファスナーユニット１２ａを摺動させて重層構造とすることも可能である。
【００４３】
図１２は、第三実施例のエレメント３０ｃ（図７（ａ））によるファスナーユニット１１ｃ、１２ｃが重なり合った状態を示す図で、エレメント３０ｃ（図７（ａ））を向かい合わせに配置して、噛み合せ部３１ｃ（図７（ａ））と上方に延設した係合片３４ｃ（図７（ａ））の間を、第一実施例、第二実施例に準じた形状のスライダー本体（不図示）の上方垂直側ケース（不図示）のエレメント通路（不図示）に沿って、噛み合せ部３１ｃ（図７（ａ））と下方に延設した係合受片３６ｃ（図７（ａ））の間をスライダー本体（不図示）の下方垂直側ケース（不図示）のエレメント通路（不図示）に沿ってスライダー（不図示）を摺動させると、向かい合わせに配置した噛み合わせ部３１ｃ（図７（ａ））が噛み合さり、向かい合わせにしたエレメントの係合片３４ｃ（図７（ａ））同士で係合部Ｋｃ（図７（ｂ））を形成し、向かい合わせにしたエレメントの係合受片３６ｃ（図７（ａ））同士で係合受部Ｒｃ（図７（ｂ））を形成して１つ目のファスナーユニット１１ｃを形成する。
【００４４】
同様に、別のエレメント３０ｃ（図７（ａ））を向かい合わせに配置して、噛み合せ部３１ｃ（図７（ａ））と上方に延設した係合片３４ｃ（図７（ａ））の間を、上述のスライダー本体（不図示）の上方垂直側ケース（不図示）のエレメント通路（不図示）に沿って、噛み合せ部３１ｃ（図７（ａ））と下方に延設した係合受片３６ｃの（図７（ａ））間をスライダー本体（不図示）の下方垂直側ケース５２のエレメント通路（不図示）に沿って別のスライダー（不図示）を摺動させると、向かい合わせに配置した噛み合わせ部３１ｃ（図７（ａ））が噛み合さり、向かい合わせにしたエレメントの係合片３４ｃ（図７（ａ））同士で係合部Ｋｃ（図７（ｂ））を形成し、向かい合わせにしたエレメントの係合受片３６ｃ（図７（ａ））同士で係合受部Ｒｃ（図７（ｂ））を形成して２つ目のファスナーユニット１２ｃを形成する。
【００４５】
２つ目のファスナーユニット１２ｃを形成する際に、１つ目のファスナーユニット１１ｃに重なり合うように、２つ目のファスナーユニット１２ｃの係合受部Ｒｃで１つ目のファスナーユニット１１ｃの係合部Ｋｃを挟み込む様に係合できる。
【００４６】
このように、１つのファスナーユニットに別のファスナーユニットを重ね合わせ、順次新しいファスナーユニットの係合受部を１つ前のファスナーユニットの係合部に係合して複数のファスナーユニットを重層構造とした新しいスライドファスナーを提供することが可能となった。なお、この第三実施例では、係合部Ｋｃの先端は平面Ｈｃにした平坦形状であるので、別々に独立して噛み合わさっている複数のファスナーユニットが外力により、意図せず係合部が係合受部に押し込まれて係合することがない。
【００４７】
以上、説明したように、本発明のスライドファスナーによれば、新しい発想により特異形状のファスナーエレメントを創造して、１つのファスナーユニットに別のファスナーユニットを順次重ね合わせ、複数のファスナーユニットを重層構造とした新しいスライドファスナーを提供することができる。
【符号の説明】
【００４８】
１０  スライドファスナー
２０  ファスナーテープ
３０  エレメント
３０ａ  第一実施例のエレメント
３１ａ  噛み合せ部
３２ａ  ファスナーテープ固定部
３４ａ  係合片
３６ａ  係合受片
Ｋａ  係合部
Ｒａ  係合受部
１１ａ、１２ａ  ファスナーユニット
３０ｂ  第二実施例のエレメント
３１ｂ  噛み合せ部
３２ｂ  ファスナーテープ固定部
３４ｂ  係合片
３６ｂ  係合受片
Ｋｂ  係合部
Ｒｂ  係合受部
１１ｂ、１２ｂ  ファスナーユニット
３０ｃ  第三実施例のエレメント
３１ｃ  噛み合せ部
３２ｃ  ファスナーテープ固定部
３４ｃ  係合片
３６ｃ  係合受片
Ｋｃ  係合部
Ｒｃ  係合受部
１１ｃ、１２ｃ  ファスナーユニット
４０  スライダー
５０  スライダー本体
６０  引き手
【図１】
2011101683.tif 000003
【図２】
2011101683.tif 000004
【図３】
2011101683.tif 000005
【図４】
2011101683.tif 000006
【図５】
2011101683.tif 000007
【図６】
2011101683.tif 000008
【図７】
2011101683.tif 000009
【図８】
2011101683.tif 000010
【図９】
2011101683.tif 000011
【図１０】
2011101683.tif 000012
【図１１】
2011101683.tif 000013
【図１２】
2011101683.tif 000014